(57)【要約】      （修正有）【課題】スミアを抑制しつつ高品位な黒文字画像を記録でき、ブラックとカラー間の境界ブリーディングを低減した高画質なカラー画像を記録可能な記録装置のコスト削減を図ること。【解決手段】第１のカラードット付与用マスクから第２のカラードット付与用マスクを生成する手段を備える。ブラックドット近接画素と第１のカラードット付与用マスクとの論理積から第１のカラードット付与データを生成する。カラードット近接画素と第２のカラードット付与用マスクとの論理積から第２のカラードット付与データを生成する。カラードット付与データとオリジナルカラーデータを合成する。【選択図】図１
2005144795.tif 000002
【特許請求の範囲】
【請求項１】
ブラックインクと少なくとも１つのカラーインクを記録可能な記録ヘッドを用いて記録を行う記録装置において、
ブラックドットが近接するブラック画素を検出するブラックドット近接画素検出手段と
カラードットが近接するブラック画素を検出するカラードット近接画素検出手段と
前記ブラックドット近接画素と第１のカラードット付与用マスクとの論理積をとることで付与するカラードットデータを生成する第１のカラードット付与データ生成手段と
前記第１のカラードット付与用マスクとマスク用マスクとの論理積をとることで第２のカラードット付与用マスクを生成するカラードット付与用マスク生成手段と
前記カラードット近接画素と第２のカラードット付与用マスクとの論理積をとることで付与するカラードットデータを生成する第２のカラードット付与データ生成手段と
前記第１のカラードット付与データ生成手段と前記第２のカラードット付与データ生成手段とによって生成されたカラードット付与データをオリジナルカラーデータと論理和をとることで合成するカラードット付与データ合成手段と
ブラックオリジナルデータと前記カラードット付与データ合成手段により合成されたカラーデータに基づいて記録を行う記録手段と
を有することを特徴とするインクジェット記録装置。
【請求項２】
前記ブラックドット近接画素検出手段は、着目画素を中心としたＬｘＭ（Ｌ，Ｍ＝１，３，５…ｎ，ｎ＋２）のマトリクス内に存在するブラックドットの数をカウントし、着目画素にブラックドットが存在し、かつ、カウント値が所定の値を越えた場合に、前記着目画素をブラックドット近接画素とすることを特徴とする請求項１に記載のインクジェット記録装置。
【請求項３】
前記ブラックドット近接画素検出手段は、オリジナルブラックデータを反転したデータを近傍８方向へ所定の画素数分ボールドし、ボールドしたデータを再度反転したデータをブラックドット近接画素とすることを特徴とする請求項１に記載のインクジェット記録装置。
【請求項４】
前記カラードット近接画素検出手段は、着目画素を中心としたＬｘＭ（Ｌ，Ｍ＝１，３，５…ｎ，ｎ＋２）のマトリクス内に存在するカラードットの数をカウントし、着目画素にブラックドットが存在し、かつ、カウント値が所定の値を越えた場合に、前記着目画素をカラードット近接画素とすることを特徴とする請求項１に記載のインクジェット記録装置。
【請求項５】
前記カラードット近接画素検出手段は、オリジナルカラーデータを近傍８方向へ所定の画素数分ボールドしたデータと、オリジナルブラックデータとの論理積をとったデータをカラードット近接画素とすることを特徴とする請求項１に記載のインクジェット記録装置。
【請求項６】
第１のカラードット付与用マスクは、インク色毎に独立に備えることを特徴とする請求項１に記載のインクジェット記録装置。
【請求項７】
前記カラーインクがイエロー，マゼンタ，シアンの３色であることを特徴とする請求項１に記載のインクジェット記録装置。
【請求項８】
前記カラードット近接画素検出手段が検出するカラードットは、イエロー，マゼンタ，シアンデータの論理和をとったデータとすることを特徴とする請求項１に記載のインクジェット記録装置。
【請求項９】
前記ブラックインクは比較的浸透性の低いインクであり、前記カラーインクは比較的浸透性の高いインクであることを特徴とする請求項１に記載のインクジェット記録装置。
【請求項１０】
前記カラーインクの内少なくとも１つは前記ブラックインクと反応して凝集するタイプの反応系インクであることを特徴とする請求項１に記載のインクジェット記録装置。
【請求項１１】
前記ブラックインクと反応して凝集するタイプのインクがシアンインクであることを特徴とする請求項６に記載のインクジェット記録装置。
【請求項１２】
前記マスク用マスクは、シアンのみ独立に備え処理ごとにビット単位でマスクをシフトしローテーションさせて使用することを特徴とする請求項１に記載のインクジェット記録装置。
【発明の詳細な説明】
【技術分野】
【０００１】
本発明は、ブラックインクと少なくとも１つのカラーインクを記録可能な複数の記録ヘッドを用いて記録を行うインクジェット記録装置に関するものである。
【背景技術】
【０００２】
従来、各種の被記録媒体に対して記録を行うインクジェット記録装置は、高密度かつ高速な記録動作が可能であることから、各種装置の出力媒体としてのプリンタ、あるいはポータブルプリンタ等として応用され、かつ商品化されている。
【０００３】
一般にインクジェット記録装置は、記録手段（記録ヘッド）およびインクタンクを搭載するキャリッジと、被記録媒体を搬送する搬送手段とこれらを制御するための制御手段とを具備する。そして、複数の吐出口からインク滴を吐出させる記録ヘッドを記録紙の搬送方向（副走査方向）と直交する方向（主走査方向）にシリアルスキャンさせるとともに、一方で非記録時に被記録媒体を記録幅に等しい量で間欠搬送するものである。
【０００４】
この記録方法は、記録信号に応じてインクを記録用紙上に吐出させて記録を行うものであり、ランニングコストが安く、静かな記録方式として広く用いられている。また近年では、複数色のインクを用い、カラー記録装置に応用した製品も数多く実用化されている。
【０００５】
このようなカラーインクジェット記録装置において、ブラックインクは文字等の印刷に多用されることから、印刷のシャープさ、鮮明さ及び高い印字濃度が要求される。そこで、被記録材に対するブラックインクの浸透性を下げ、ブラックインク中の色材が被記録材へ浸透するのを抑制する技術が知られている（例えば、特許文献１参照）。
【０００６】
一方、カラーインクは、異なる色の２種のインクが隣接して被記録材に付与されたときに、該インク同士が境界部で混ざりあってしまいカラー画像の品位を低下させる現象（ブリーディング）が発生する。これを防ぐために、被記録材に対する浸透性を上げ、カラーインク同士が被記録材表面で混ざり合うことを防止する技術が知られている（例えば、特許文献２参照）。
【０００７】
しかしながら、上記インクセットを用いた場合、以下の２つの問題が発生する。
【０００８】
第１にカラーインクは浸透性が高いため定着時間は早いものの、ブラックインクは浸透性が低いため乾燥定着時間が長くかかる。これにより、前のページが排紙された後に、連続して次のページが排紙されると、前のページのブラックインクが完全に乾いていないために前のページの印字面及び次のページの印字裏面を汚してしまう場合がある（このような印字面および裏面の汚れを以下「スミア」とよぶ。）。この問題は印刷速度の向上に伴い大きな問題となってくる。
【０００９】
第２にブラックインクは浸透性が低いためにブラックとカラーが接する画像においてブラックとカラーの境界領域でにじみ（境界ブリーディング）が発生する。これはカラーの記録画像の品質を著しく低下させる問題である。
【００１０】
これら２つの解決策として、従来から以下のような対策がとられている。
【００１１】
第１の対策は、加熱定着器等の定着手段を設ける方法である。これにより紙面に高速にインクを定着させることでスミア及び境界ブリーディングを防止することが可能になる。
【００１２】
第２の対策は、排紙待ち制御を行う方法がある。これは１枚目が印刷されて十分に乾燥するまでの間、２枚目の印刷開始を一時停止するか、または２枚目を印字終了した後に排紙動作を一時停止するものである。これによりスミアは抑えることができる。
【００１３】
第３の対策は、浸透性の高いカラーインクをブラックインクの印字領域に重ねて印字する方法である。カラーインクによって紙面が塗れた状態の上にブラックインクが印字されるためブラックインクは紙面に定着しやすくなり、スミアを抑えることができる。さらに、ブラックとカラーインクが反応して凝集するタイプのインクセットを用いることで境界ブリーディングを抑えることができる。
【００１４】
第４の対策は、第３の対策と同様な浸透性の高いカラーインクをブラックインクの印字領域に重ねて印字する方法であり、ブラックとカラーの領域を判別することで、スミアを防止する領域と境界ブリーディングを防止する領域とにわけ、それぞれに必要なカラーインク付与量を付与することでスミアと境界ブリーディングの抑制を両立させている。
【特許文献１】特開平９−２５４４２号公報
【特許文献２】特開昭５５−６５２６９号公報
【発明の開示】
【発明が解決しようとする課題】
【００１５】
しかしながら、上述した方法においては以下の不具合があった。
【００１６】
第１の対策の不具合は、定着手段を設けることで装置の大型化、コストの増大はさけられなくなる。またシリアルプリンタにおいて、紙送りが間欠的であるため定着器を通す際に送りムラが生じてしまう可能性もある。
【００１７】
第２の対策の不具合は、排紙待ちを行うことでスループットが低下することである。
【００１８】
第３の対策の不具合は、カラーインクを重ねて印字することで黒画像のシャープネスの劣化、黒文字品位の劣化を伴うことである。また、スミア防止に必要なカラーインク付与量と境界ブリーディングを防止するのに必要なカラーインク付与量が異なる場合にスミアと境界ブリーディングの抑制を両立させることが困難である。
【００１９】
第４の対策の不具合は、第３の対策の不具合を解決しているが、この処理を論理回路に置き換えると膨大なゲート数となりコストの増大は避けられない。
【００２０】
本発明は以上の点を鑑みてなされたものであり、スミアと境界ブリーディングを抑制し、かつ、高品位な黒文字品位を記録可能なインクジェット記録装置のコスト削減を図ることにある。
【課題を解決するための手段】
【００２１】
この発明は下記の構成を備えることにより上記課題を解決できるものである。
【００２２】
（１）ブラックインクと少なくとも１つのカラーインクを記録可能な記録ヘッドを用いて記録を行う記録装置において、
ブラックドットが近接するブラック画素を検出するブラックドット近接画素検出手段と
カラードットが近接するブラック画素を検出するカラードット近接画素検出手段と
前記ブラックドット近接画素と第１のカラードット付与用マスクとの論理積をとることで付与するカラードットデータを生成する第１のカラードット付与データ生成手段と
前記第１のカラードット付与用マスクとマスク用マスクとの論理積をとることで第２のカラードット付与用マスクを生成するカラードット付与用マスク生成手段と
前記カラードット近接画素と第２のカラードット付与用マスクとの論理積をとることで付与するカラードットデータを生成する第２のカラードット付与データ生成手段と
前記第１のカラードット付与データ生成手段と前記第２のカラードット付与データ生成手段とによって生成されたカラードット付与データをオリジナルカラーデータと論理和をとることで合成するカラードット付与データ合成手段と
ブラックオリジナルデータと前記カラードット付与データ合成手段により合成されたカラーデータに基づいて記録を行う記録手段と
を有することを特徴とするインクジェット記録装置。
【００２３】
（２）前記ブラックドット近接画素検出手段は、着目画素を中心としたＬｘＭ（Ｌ，Ｍ＝１，３，５…ｎ，ｎ＋２）のマトリクス内に存在するブラックドットの数をカウントし、着目画素にブラックドットが存在し、かつ、カウント値が所定の値を越えた場合に、前記着目画素をブラックドット近接画素とすることを特徴とする前記（１）に記載のインクジェット記録装置。
【００２４】
（３）前記ブラックドット近接画素検出手段は、オリジナルブラックデータを反転したデータを近傍８方向へ所定の画素数分ボールドし、ボールドしたデータを再度反転したデータをブラックドット近接画素とすることを特徴とする前記（１）に記載のインクジェット記録装置。
【００２５】
（４）前記カラードット近接画素検出手段は、着目画素を中心としたＬｘＭ（Ｌ，Ｍ＝１，３，５…ｎ，ｎ＋２）のマトリクス内に存在するカラードットの数をカウントし、着目画素にブラックドットが存在し、かつ、カウント値が所定の値を越えた場合に、前記着目画素をカラードット近接画素とすることを特徴とする前記（１）に記載のインクジェット記録装置。
【００２６】
（５）前記カラードット近接画素検出手段は、オリジナルカラーデータを近傍８方向へ所定の画素数分ボールドしたデータと、オリジナルブラックデータとの論理積をとったデータをカラードット近接画素とすることを特徴とする前記（１）に記載のインクジェット記録装置。
【００２７】
（６）第１のカラードット付与用マスクは、インク色毎に独立に備えることを特徴とする前記（１）に記載のインクジェット記録装置。
【００２８】
（７）前記カラーインクがイエロー，マゼンタ，シアンの３色であることを特徴とする前記（１）に記載のインクジェット記録装置。
【００２９】
（８）前記カラードット近接画素検出手段が検出するカラードットは、イエロー，マゼンタ，シアンデータの論理和をとったデータとすることを特徴とする前記（１）に記載のインクジェット記録装置。
【００３０】
（９）前記ブラックインクは比較的浸透性の低いインクであり、前記カラーインクは比較的浸透性の高いインクであることを特徴とする前記（１）に記載のインクジェット記録装置。
【００３１】
（１０）前記カラーインクの内少なくとも１つは前記ブラックインクと反応して凝集するタイプの反応系インクであることを特徴とする前記（１）に記載のインクジェット記録装置。
【００３２】
（１１）前記ブラックインクと反応して凝集するタイプのインクがシアンインクであることを特徴とする前記（６）に記載のインクジェット記録装置。
【００３３】
（１２）前記マスク用マスクは、シアンのみ独立に備え処理ごとにビット単位でマスクをシフトしローテーションさせて使用することを特徴とする前記（１）に記載のインクジェット記録装置。
【発明の効果】
【００３４】
本発明によれば、第１のカラードット付与用マスクから第２のカラードット付与用マスクを生成することにより、ブラック−カラー間の境界領域に適切なカラードットを付与することで境界ブリーディングを防止することができる。また、ブラックのデューティが高い領域には、適切なカラードットを付与することでスミアを防止することが可能となる。さらに、黒文字等のエッジ領域にはカラードットの付与が行われないためシャープな黒画像の記録が可能なインクジェット記録装置のコスト削減を図ることが可能である。
【発明を実施するための最良の形態】
【００３５】
以下、図面を参照して本発明の記録装置に係わる実施形態を説明する。
【００３６】
なお、以下に説明する実施形態では、インクジェット記録方式を用いた記録装置としてプリンタを例に挙げ説明する。
【００３７】
（１）カラー記録装置の説明
図１０は、本発明を適応可能なカラーインクジェット記録装置の一実施例の構成を示す概略斜視図である。この図において、２０２はインクカートリッジである。これらは、４色のカラーインク（ブラック、シアン、マゼンタ、イエロー）がそれぞれ入れられたインクタンクと、記録ヘッド２０１から構成されている。１０３は紙送りローラで、１０４の補助ローラとともに印字紙１０７を抑えながら図中の矢印方向に回転し、印字紙１０７の給紙を行うとともに、ローラ１０３、１０４同様に印字紙１０７を抑える役割も果たしている。１０６はキャリッジであり、４つのインクカートリッジを支持し、搭載するインクカートリッジ２０２および記録ヘッド２０１を印字とともに移動させる。このキャリッジ１０６は、記録装置が印字を行っていないとき、あるいは記録ヘッドの回復動作を行うときには図の点線で示したホームポジション位置に待機するように制御される。
【００３８】
印字開始前、図の位置（ホームポジション）に位置するキャリッジ１０６は、印字開始命令がくると、ｘ方向に移動しながら記録ヘッド２０１に設けられた記録素子を駆動して紙面上に記録ヘッドの記録幅に対応した領域の印字を行う。キャリッジの走査方向に沿って、紙面端部まで印字が終了すると、キャリッジは元のホームポジションに戻り、再びｘ方向への記録を行う。前回の記録走査が終了してから、続く記録走査が始まる前に紙送りローラ１０３が図に示した矢印方向へ回転して必要な幅だけｙ方向への紙送りが行われる。このように印字のための主走査と紙送りとを繰り返すことにより一紙面上への印字が完成する。記録ヘッドからインクを吐出する記録動作は、記録制御手段（不図示）からの制御に基づいて行われる。
【００３９】
また、記録速度を高めるため、一方向への主走査時のみ記録を行うのではなく、ｘ方向への主走査の記録が終わりキャリッジをホームポジション側へ戻す際の復路においても記録を行う構成であってもよい。
【００４０】
また、以上説明した例ではインクタンクと記録ヘッドとが分離可能にキャリッジ１０６に保持しているものである。記録用のインクを収容するインクタンク２０２と記録紙１０７に向けてインクを吐出する記録ヘッド２０１とが一体になったインクジェットカートリッジであってもよい。さらに、一つの記録ヘッドから複数色のインクを吐出可能な複数色一体型記録ヘッドを用いてもよい。
【００４１】
また、前述の回復動作を行う位置には、ヘッドの前面（吐出口面）をキャップするキャッピング手段（不図示）や、キャッピング手段によるキャップ状態で記録ヘッド内の増粘インクや気泡を除去する等のヘッド回復動作を行う回復ユニット（不図示）が設けられている。また、キャッピング手段の側方には、クリーニングブレード（不図示）等が設けられ記録ヘッド２０１に向けて突出可能に支持され、記録ヘッドの前面との当接が可能となっている。これにより、回復動作後に、クリーニングブレードを記録ヘッドの移動経路中に突出させ、記録ヘッドの移動に伴って記録ヘッド前面の不要なインク滴や汚れ等の払拭が行われる。
【００４２】
（２）記録ヘッドの説明
次に、上述した記録ヘッド２０１について図１１を参照して説明する。図１１は、図１０に示した記録ヘッド２０１の要部斜視図である。記録ヘッド２０１は、図１１に示すようにそれぞれが所定のピッチで複数の吐出口３００が形成されており、共通液室３０１と各吐出口３００とを連結する各液路３０２の壁面に沿ってインク吐出用のエネルギーを発生するための記録素子３０３が配設されている。記録素子３０３とその回路はシリコン上に半導体製造技術を利用して作られている。また、温度センサ（不図示）、サブヒータ（不図示）も同一シリコン上に半導体製造プロセスと同様のプロセスで一括形成される。これらの電気配線が作られたシリコンプレート３０８を放熱用のアルミベースプレート３０７に接着している。また、シリコンプレート上の回路接続部３１１とプリント板３０９とは超極細ワイヤー３１０により接続され記録装置本体からの信号は信号回路３１２を通して受け取られる。液路３０２および共通液室３０１は射出成形により作られたプラスチックカバー３０６で形成されている。共通液室３０１は、前述したインクタンク（図１０参照）とジョイントパイプ３０４とインクフィルター３０５を介して連結しており、共通液室３０１にはインクタンクからインクが供給される構成となっている。インクタンクから共通液室３０１に供給されて一時的に貯えられたインクは、毛管現象により液路３０２に侵入し、吐出口３００でメニスカスを形成して液路３０２を満たした状態を保つ。このとき、電極（不図示）を介して記録素子３０３が通電されて発熱すると、記録素子３０３上のインクが急激に加熱されて液路３０２内に気泡が発生し、この気泡の膨張により吐出口３００から信号回路３１２が吐出される。
【００４３】
（３）制御構成の説明
次に、装置構成の各部の記録制御を実行するための制御構成について、図１２に示すブロック図を参照して説明する。制御回路を示す同図において、４００は記録信号を入力するインターフェ−ス、４０１はＭＰＵ、４０２はＭＰＵ４０１が実行する制御プログラムを格納するプログラムＲＯＭ、４０３は各種データ（上記記録信号やヘッドに供給される記録データ等）を保存しておくダイナミック型のＲＡＭ（ＤＲＡＭ）であり、印字ドット数や、インク記録ヘッドの交換回数等も記憶できる。４０４は記録ヘッドに対する記録データの供給制御を行うゲートアレイであり、インターフェース４００、ＭＰＵ４０１、ＤＲＡＭ４０３間のデータの転送制御も行う。４０６は記録ヘッドを搬送するためのキャリアモータ（ＣＲモータ）、４０５は記録用紙搬送のための搬送モータ（ＬＦモータ）である。４０７、４０８は夫々搬送モータ４０５、キャリアモータ４０６を駆動するモータドライバである。４０９は記録ヘッド４１０を駆動するヘッドドライバである。
【００４４】
［実施形態１］
○実施形態１の概要
本実施形態においては、ブラックの着目画素を中心とした３ｘ３のマトリクス内に存在するブラックドットの数をカウントし、ブラックドットが９ドット存在する場合に、着目画素をブラックドット隣接画素とし、第１のカラードット付与用マスクとの論理積をとることで第１のカラードット付与データを生成する。また、Ｃマスク用マスクを用いて、第１のカラードット付与用マスクとの論理積をとることで第２のカラードット付与用マスクの生成する。そして、ブラックの着目画素を中心とした３ｘ３のマトリクス内に存在するカラードットの数をカウントし、着目画素にブラックドットが存在し、かつ、カラードットが１ドット以上存在する場合に、着目画素をカラードット隣接画素とし、第２のカラードット付与用マスクとの論理積をとることで第２のカラードット付与データを生成する。上記第１のカラードット付与データと第２のカラードット付与データをオリジナルカラーデータと合成して記録することで境界ブリーディングとスミアを防止するとともに、高品位な黒文字を記録可能とする。
【００４５】
○全体のデータ処理
図１は、ブラックドット近接画素の検出、第２のカラードット付与用マスクの生成、カラードット近接画素の検出、カラードット付与データの生成、印字用データの生成の流れを説明するブロック図である。
【００４６】
オリジナルＢｋデータ（Ｄ１０００）を用いて、スミア防止用にカラードットを付与すべきブラックドット近接画素の検出処理（Ｅ１０００）を行うことで、ブラックドット近接画素データ（Ｄ１００１）を生成する。ブラックドット近接画素データ（Ｄ１００１）に対してＣマスク１（Ｅ１００１），Ｍマスク１（Ｅ１００２），Ｙマスク１（Ｅ１００３）との論理積をとることでＣ付与データ１（Ｄ１００２），Ｍ付与データ１（Ｄ１００３），Ｙ付与データ１（Ｄ１００４）を生成する。
【００４７】
また、Ｃマスク用マスク（Ｄ１０２０）を用いて、Ｃマスク１（Ｅ１００１）との論理積をとることで第２のカラードット付与用マスクの生成（Ｅ１００８）を行う。次に、オリジナルＣデータ（Ｄ１００５），オリジナルＭデータ（Ｄ１００６），オリジナルＹデータ（Ｄ１００７）の論理和をとったオリジナルＣ，Ｍ，ＹのＯＲデータ（Ｄ１００８）とオリジナルＢｋデータ（Ｄ１０００）を用いて、境界ブリーディング防止用にカラードットを付与すべきカラードット近接画素の検出処理（Ｅ１００４）を行い、カラードット近接画素データ（Ｄ１００９）を生成する。カラードット近接画素データ（Ｄ１００９）に対して、Ｃマスク２（Ｅ１００５），Ｍマスク１（Ｅ１００６），Ｙマスク１（Ｅ１００７）との論理積をとることでＣ付与データ２（Ｄ１０１０），Ｍ付与データ２（Ｄ１０１１），Ｙ付与データ２（Ｄ１０１２）を生成する。オリジナルＣデータ（Ｄ１００５）とＣ付与データ１（Ｄ１００２）とＣ付与データ２（Ｄ１０１０）の論理和をとり、印字用のＣデータ（Ｄ１０１３）を生成する。同様の処理を行うことで印字用のＭデータ（Ｄ１０１４），印字用のＹデータ（Ｄ１０１５）を生成する。オリジナルＢｋデータ（Ｄ１０００）はそのまま加工されることなく印字用のＢｋデータ（Ｄ１０１６）とする。
【００４８】
○カラードット付与対象画素の検出処理
・スミア防止用のブラックドット近接画素の検出
図２はスミア防止用のブラックドット近接画素の検出処理のフローチャート図である。
【００４９】
着目画素にブラックドットが存在し、かつ、３ｘ３マトリクス内に存在する総ブラックドット数が９であるか否かを判定する（Ｓ１０１）。もし、総ブラックドット数が９の場合は着目画素のビットをオンにする（Ｓ１０２）。そうでない場合には、着目画素のビットをオフにする（Ｓ１０３）。続いて、着目画素をシフトさせる（Ｓ１０４）。全てのデータが終了すれば終了（Ｓ１０５）とし、そうでなければ上記処理を繰り返す。ここでは、総ブラックドット数の閾値を９としたがインクの特性や記録装置の特性に合わせて最適な値を用いることが好ましい。
【００５０】
図３は、ブラックドット近接画素の検出例を図にしたものである。
【００５１】
図３−（ａ）は、着目画素を中心とした３ｘ３マトリクスを表している。図３−（ｂ）はブラックオリジナル画像である。ブラックオリジナルデータに対して３ｘ３マトリクスを順次１画素づつシフトさせながら処理を行う。マトリクス内のブラック総ドット数が９の場合に着目画素のビットをオンにしていくと、図３−（ｃ）に表すようにスミア防止用のブラックドット近接画素が検出できる。
【００５２】
図３−（ｃ）を見てわかるように、この処理によってブラックの比較的デューティの高い領域のみが検出される。比較的デューティの低いエッジ領域は検出されないためカラードットが付与されることはなく、ブラック画像のシャープさを保つことができる。
【００５３】
・ブリーディング防止用のカラードット近接画素の検出
図４はブラックとカラーのブリーディング防止用のカラードット近接画素の検出処理のフローチャート図である。
【００５４】
着目画素にブラックドットが存在し、かつ、３ｘ３マトリクス内に存在する総カラードット数が１以上であるか否かを判定する（Ｓ２０１）。もし、総カラードット数が１以上の場合は着目画素のビットをオンにする（Ｓ２０２）。そうでない場合には、着目画素のビットをオフにする（Ｓ２０３）。続いて、着目画素をシフトさせる（Ｓ２０４）。全てのデータが終了すれば終了（Ｓ２０５）とし、そうでなければ上記処理を繰り返す。ここでは、総カラードット数の閾値を１としたがインクの特性や記録装置の特性に合わせて最適な値を用いることが好ましい。
【００５５】
図５は、ブリーディング防止用のカラードット近接画素の検出例を図にしたものである。
【００５６】
図５−（ａ）は、着目画素を中心とした３ｘ３マトリクスを表している。図５−（ｂ）はブラックオリジナル画像、図５−（ｃ）はカラーオリジナル画像である。ブラックオリジナルデータとカラーオリジナルデータに対して３ｘ３マトリクスを順次１画素づつシフトさせながら処理を行う。マトリクス内のカラー総ドット数が１以上の場合に着目画素のビットをオンにしていくと、図５−（ｄ）に表すようにブリーディング防止用のカラードット付与対象画素が検出できる。
【００５７】
図５−（ｄ）を見てわかるように、この処理によってブラックとカラーの境界領域のみが検出される。境界領域にカラードットを付与することで境界ブリーディングを防止することが可能となる。
【００５８】
○第２のカラードット付与用マスクの生成
図６は、第２のカラードット付与用マスクの生成例を図にしたものである。図６−（ａ）はシアン用の所定量の付与データを生成するための第１のカラードット付与用マスクである。図６−（ｂ）はマスク用マスクであり、第１のカラードット付与用マスクと論理積をとることにより図６−（ｃ）のシアン用の第２のカラードット付与用マスクを生成することができる。また、図６−（ｄ）のようにマスク用マスクは各処理ごとにマスクをシフトさせることで均等にマスクされる。
【００５９】
○カラードット付与データの生成
・スミア防止用のカラードット付与データの生成
図７は、スミア防止用のカラードット付与データの生成例を図にしたものである。図７−（ａ）はブラックドット近接画素データである。図７−（ｂ）〜（ｄ）は所定量の付与データを生成するためのシアン，マゼンタ，イエローのマスク１を表している。ここで、各色の付与データ量の割合はシアンを１８％、マゼンタを５％、イエローを５％とする。ブラックドット近接画素データと各色のマスク１との論理積をとることで図７−（ｅ）〜（ｇ）の各色の付与データが生成される。ここで、各色の付与データの量およびマスクサイズはインクの特性や記録装置の構成に応じて、適切な値とすることが好ましい。また、マスク内のドットの配置方法は規則性を持たせてもよいし、疑似的にランダムにしてもよい。
【００６０】
・ブリーディング防止用のカラードット付与データの生成
図８は、ブリーディング防止用のカラードット付与データの生成例を図にしたものである。図８−（ａ）はカラードット近接画素データである。図８−（ｂ）〜（ｄ）は所定量の付与データを生成するためのシアン，マゼンタ，イエローのマスク１を表している。ここで、各色の付与データ量の割合はシアンを３０％、マゼンタを５％、イエローを５％とする。カラードット近接画素データと各色のマスク２との論理積をとることで図８−（ｅ）〜（ｇ）の各色の付与データが生成される。ここで、シアンの付与量を比較的多くしているのはブラックインクに対してシアンインクのみが反応性をもち、凝集するタイプのインクシステムの記録装置を想定しているからである。各色の付与データの量およびマスクサイズはインクの特性や記録装置の構成に応じて、適切な値とすることが好ましい。また、マスク内のドットの配置方法は規則性を持たせてもよいし、疑似的にランダムにしてもよい。
【００６１】
○印字用カラーデータの生成
図９は印字用カラーデータの生成処理のフローチャート図である。ブラックドット近接画素データを検出する（Ｓ３０１）。続いて、ブラックドット近接画素データとシアン，マゼンタ，イエローのマスク１との論理積をとることでシアン，マゼンタ，イエローの付与データ１を生成する（Ｓ３０２）。次に、カラードット近接画素データを検出し（Ｓ３０３）、シアン，マゼンタ，イエローのマスク２との論理積をとることでシアン，マゼンタ，イエローの付与データ２を生成する（Ｓ３０４）。最後に、オリジナルのシアン，マゼンタ，イエローデータと各色の付与データ１と各色の付与データ２との論理和をとり、印字用シアン，マゼンタ，イエローデータとする（Ｓ３０５）。
【００６２】
以上説明したように、本実施形態によれば文字のエッジ領域を除いた比較的高デューティのブラックデータに対してカラードットの付与を行うことで、高デューティ領域のスミアを防止するとともにエッジがシャープで高品位な黒文字の記録が可能となる。さらに、ブラックとカラーの境界領域に対しては、スミアのカラードット付与量とは異なるカラードットの付与を行うことで、ブラックとカラー間の境界ブリーディングを抑えた高画質なカラー画像を記録可能となる。
【図面の簡単な説明】
【００６３】
【図１】実施形態１のカラードット付与対象画素の検出、カラードット付与データの生成、印字用データの生成の流れを説明するブロック図である。
【図２】実施形態１のスミア防止用のカラードット付与対象画素の検出処理のフローチャート図である。
【図３】実施形態１のスミア防止用のカラードット付与対象画素の検出例を図にしたものである。
【図４】実施形態１のブラックとカラーのブリーディング防止用のカラードット付与対象画素の検出処理のフローチャート図である。
【図５】実施形態１のブリーディング防止用のカラードット付与対象画素の検出例を図にしたものである。
【図６】実施形態１の第２のカラードット付与用マスクの生成例を図にしたものである。
【図７】実施形態１のスミア防止用のカラードット付与データの生成例を図にしたものである。
【図８】実施形態１のブリーディング防止用のカラードット付与データの生成例を図にしたものである。
【図９】実施形態１の印字用カラーデータの生成処理のフローチャート図である。
【図１０】本発明を適応可能なカラーインクジェット記録装置の一実施例の構成を示す概略斜視図である。
【図１１】本発明を適応可能な記録ヘッドの要部斜視図である。
【図１２】本発明を適応可能なインクジェット記録装置の制御ブロック図である。
【符号の説明】
【００６４】
１０３  紙送りローラ
１０４  補助ローラ
１０６  キャリッジ
１０７  印字紙
２０１  記録ヘッド
２０２  インクカートリッジ
３００  吐出口
３０１  共通液室
３０２  液路
３０３  記録素子
３０４  ジョイントパイプ
３０５  インクフィルター
３０６  プラスチックカバー
３０７  アルミベースプレート
３０８  シリコンプレート
３０９  プリント板
３１０  超極細ワイヤー
３１１  回路接続部
３１２  信号回路
４００  インターフェ−ス
４０１  ＭＰＵ
４０２  プログラムＲＯＭ
４０３  ＲＡＭ（ＤＲＡＭ）
４０４  ゲートアレイ
４０５  搬送モータ（ＬＦモータ）（紙送りモータ）
４０６  キャリアモータ（ＣＲモータ）（キャリッジモータ）
４０７、４０８  モータドライバ
４０９  ヘッドドライバ
４１０  記録ヘッド（ヘッド種別信号発生回路）
【図１】
2005144795.tif 000003
【図２】
2005144795.tif 000004
【図３】
2005144795.tif 000005
【図４】
2005144795.tif 000006
【図５】
2005144795.tif 000007
【図６】
2005144795.tif 000008
【図７】
2005144795.tif 000009
【図８】
2005144795.tif 000010
【図９】
2005144795.tif 000011
【図１０】
2005144795.tif 000012
【図１１】
2005144795.tif 000013
【図１２】
2005144795.tif 000014